(57)【要約】【課題】  フィルター体に付着した塵埃を除去すると共に、一旦フィルター体から除去した塵埃が除塵体及びフィルター体に再付着することを防ぐことができるフィルター清掃装置を提供する。【解決手段】  フィルター清掃装置１０は、塵埃を捕捉するフィルター体９と、このフィルター体９に沿って往復可動し、フィルター体９に付着した塵埃を除去する除塵体１１と、フィルター体９の一方の端部近傍に設置されると共に、回転軸１２ａを備え、回転して除塵体１１に当接し、除塵体１１に付着した塵埃を移送する回転清掃体１２と、この回転清掃体１２の近傍に設置されると共に、回転清掃体１２によって移送される塵埃を収容する開口を備えたダストボックス８とを備えている。【選択図】図３（ａ）
2020162920.tif 000002
【特許請求の範囲】
【請求項１】
塵埃を捕捉するフィルター体と、
前記フィルター体に沿って往復可動し、前記フィルター体に付着した塵埃を除去する除塵体と、
前記フィルター体の一方の端部近傍に設置されると共に、回転軸を備え、回転して前記除塵体に当接し、該除塵体に付着した塵埃を移送する回転清掃体と、
前記回転清掃体の近傍に設置されると共に、前記回転清掃体によって移送される塵埃を収容する開口を備えたダストボックスと、を有することを特徴とするフィルター清掃装置。
【請求項２】
ダストボックスの開口近傍に備えられると共に、回転清掃体に当接して塵埃を除去しダストボックス内に回収させる除去体を有することを特徴とする請求項１に記載のフィルター清掃装置。
【請求項３】
回転清掃体は、除塵体の往路側から当接すると共に、前記除塵体の根元方向に向かって回転することを特徴とする請求項１又は２に記載のフィルター清掃装置。
【請求項４】
除塵体は、フィルター体の被清掃面側から視た場合に、少なくとも回転清掃体の回転軸と同一又は回転軸を越える位置まで可動することを特徴とする請求項１〜３のいずれか１項に記載のフィルター清掃装置。
【請求項５】
回転清掃体は、一定方向にのみ回転可能であることを特徴とする請求項１〜４のいずれか１項に記載のフィルター清掃装置。
【請求項６】
架台と、
前記架台の前面側に設けられた通気孔を備えたカバーパネルと、
前記カバーパネルの下流側に設けられた凝縮器と、
前記凝縮器に空気を送る送風ファンと、
前記凝縮器と前記カバーパネルの間に配置した請求項１〜５のいずれか１項に記載のフィルター清掃装置と、を有することを特徴とするショーケース。
【請求項７】
カバーパネルは、開口部を該カバーパネルの前面側に備え、フィルター清掃装置を構成するダストボックスは、前記開口部から取り出し可能であることを特徴とする請求項６に記載のショーケース。
【請求項８】
架台に対してカバーパネルとフィルター清掃装置が一体的に着脱可能であることを特徴とする請求項６又は７に記載のショーケース。
【発明の詳細な説明】
【技術分野】
【０００１】
本発明は、フィルターを清掃する清掃体を備えたフィルター清掃装置と、このフィルター清掃装置を備えたショーケースに関するものである。
【背景技術】
【０００２】
従来から、ショーケース等の内部に設置され、フィルターに付着している塵埃等を除去するフィルター清掃装置が知られている（特許文献１及び２）。
【０００３】
特許文献１に記載のフィルター清掃装置は、フィルターの前面にガイドレールを平行に設け、このガイドレール間に掃除具を摺動自在に取り付けて、掃除具の刷毛端をフィルター面に当接し、下方に塵埃受け皿を備える構成としている。
【０００４】
また、特許文献２に記載のフィルター清掃装置は、凝縮器と外装グリルとの間に配置されるフィルターと、外装グリルとフィルターの間に左右方向スライド可能に配置され、スライド時に撓んだ状態でフィルターに当たる複数のブラシ毛を有してこれらのブラシ毛によりフィルターに付着した塵埃を除去する清掃ブラシと、フィルターの少なくとも左右方向の一端側に設けられ、スライドする清掃ブラシのブラシ毛が当たることによりこのブラシ毛に付着している塵埃を掻き落とすための掻き落とし部と、掻き落とされた塵埃を捕集する捕集装置と、を有する構成としている。
【先行技術文献】
【特許文献】
【０００５】
【特許文献１】実開昭５９−６１８２４号公報
【特許文献２】特許第６４１５６５７号公報
【発明の概要】
【発明が解決しようとする課題】
【０００６】
しかしながら、上記特許文献１に記載のフィルター清掃装置は、掃除具の刷毛端に付着した塵埃が塵埃受け皿に落ちることなく、フィルターに再付着するという課題を有していた。
【０００７】
一方、特許文献２に記載のフィルター清掃装置は、掻き落とし部によって塵埃がフィルターに再付着する課題を軽減できるが、掻き落とし部に一部残された塵埃が清掃ブラシを介して、フィルターに再付着する課題や、清掃ブラシの内部にまで入り込んだ塵埃は掻き落とし部では除去できず、清掃効率の低下に繋がっていた。さらに、掻き落とし部を捕集装置内部に配置する構成としていることから、捕集装置に収容できる塵埃の集塵容量を十分に確保するためには捕集装置を大型にする必要があった。また、捕集装置が塵埃で飽和状態となった場合には、塵埃がブラシ毛及びフィルターに再付着するという課題を有していた。
【０００８】
本発明は、前記従来の課題を解決するものであり、フィルター体に付着した塵埃を除塵体で除去出来ると共に、除塵体に付着した塵埃を確実に回転清掃体で除去及びダストボックスに移送させ、一旦フィルター体から除去した塵埃が除塵体及びフィルター体に再付着することを防ぐことができ、塵埃を収容するダストボックスの集塵容量を十分に確保することができるフィルター清掃装置と、このフィルター清掃装置を備えたショーケースを提供することを目的とする。
【課題を解決するための手段】
【０００９】
前記従来の課題を解決するために、請求項１のフィルター清掃装置の発明は、塵埃を捕捉するフィルター体と、前記フィルター体に沿って往復可動し、前記フィルター体に付着した塵埃を除去する除塵体と、前記フィルター体の一方の端部近傍に設置されると共に、回転軸を備え、回転して前記除塵体に当接し、該除塵体に付着した塵埃を移送する回転清掃体と、前記回転清掃体の近傍に設置されると共に、前記回転清掃体によって移送される塵埃を収容する開口を備えたダストボックスと、を有することを特徴としている。
【００１０】
請求項１の発明では、フィルター体に付着している塵埃を、除塵体と回転清掃体とを介してダストボックスに移送することができるので、塵埃が除塵体及びフィルター体に再付着するのを防ぐことができる。また、除塵体に回転清掃体を当接させることで、除塵体に付着したな塵埃を確実に除去し、フィルター体への再付着を防止できると共に、清掃効率を維持することができる。
【００１１】
請求項２の発明は、請求項１のフィルター清掃装置の発明において、ダストボックスの開口近傍に備えられると共に、回転清掃体に当接して塵埃を除去しダストボックス内に回収させる除去体を有することを特徴としている。したがって、除去体が回転清掃体に当接して塵埃を確実にダストボックスの内部に収容することができると共に、回転清掃体から除塵体へと塵埃が再付着するのを防ぐことができる。
【００１２】
請求項３の発明は、請求項１又は２のフィルター清掃装置の発明において、回転清掃体は、除塵体の往路側から当接すると共に、前記除塵体の根元方向に向かって回転することを特徴としている。これにより、除塵体から塵埃を掻き上げて除去すると共に、フィルター体から遠ざかる方向に塵埃を移送させることとなるので、回転清掃体から除塵体及びフィルター体へと塵埃が再付着するのを防ぐことができる。
【００１３】
請求項４の発明は、請求項１〜３のいずれかのフィルター清掃装置の発明において、除塵体は、フィルター体の被清掃面側から視た場合に、少なくとも回転清掃体の回転軸と同一又は回転軸を越える位置まで可動することを特徴としている。これにより、除塵体が回転清掃体と当接する面積が増えると共に、除塵体が回転清掃体の回転軸に最も近づくことで、より塵埃を掻き出す力が強くなり、除塵効果を向上させることができる。また、除塵体が回転軸を越える位置まで可動した場合は、除塵体の復路側の塵埃を掻き落とすことができるため、より除塵体に付着した塵埃を除去することができる。
【００１４】
請求項５の発明は、請求項１〜４のいずれかのフィルター清掃装置の発明において、回転清掃体は、一定方向にのみ回転可能であることを特徴としている。これにより、回転清掃体が逆回転して塵埃が除塵体に再付着するのを防ぐことができると共に、除塵体の復路においても回転清掃体が掻き出すように当接するため、より除塵体に付着した塵埃を除去することができる。
【００１５】
請求項６のショーケースの発明は、架台と、前記架台の前面側に設けられた通気孔を備えたカバーパネルと、前記カバーパネルの下流側に設けられた凝縮器と、前記凝縮器に空気を送る送風ファンと、前記凝縮器と前記カバーパネルの間に配置した請求項１〜５のいずれか１項に記載のフィルター清掃装置と、を有することを特徴としている。したがって、フィルター体に付着している塵埃を、除塵体と回転清掃体とを介してダストボックスに移送することができるので、塵埃が除塵体及びフィルター体に再付着するのを防ぐことができる。また、除塵体に回転清掃体を当接させることで、除塵体に付着したな塵埃を確実に除去し、フィルター体への再付着を防止できると共に、清掃効率を維持することができる。
【００１６】
請求項７の発明は、請求項６のショーケースの発明において、カバーパネルは、開口部を該カバーパネルの前面側に備え、フィルター清掃装置を構成するダストボックスは、前記開口部から取り出し可能であることを特徴としている。したがって、ダストボックス内に収容された塵埃を容易に廃棄することができる。尚、掃除機等で塵埃を吸引することができる程度にダストボックスをカバーパネルから前方に回動させる構成としてもよい。
【００１７】
請求項８の発明は、請求項６又は７のショーケースの発明において、架台に対してカバーパネルとフィルター清掃装置が一体的に着脱可能であることを特徴としている。したがって、フィルター体の裏側の清掃を容易に行うことができる。また、既存のショーケースへのカバーパネルとフィルター清掃装置の後付けを容易に行うことができる。
【発明の効果】
【００１８】
請求項１のフィルター清掃装置の発明は、回転清掃体によって除塵体から塵埃を確実に除去すると共に、塵埃が除塵体及びフィルター体に再付着するのを防ぐことができる。また、請求項２の発明は、除去体が回転清掃体に当接して塵埃を確実にダストボックスの内部に収容することができると共に、回転清掃体から除塵体へと塵埃が再付着するのを防ぐことができる。また、請求項３の発明は、除塵体から塵埃を掻き上げて除去すると共に、回転清掃体から除塵体及びフィルター体へと塵埃が再付着するのを防ぐことができる。
【００１９】
請求項４のフィルター清掃装置の発明は、除塵体が回転清掃体と当接する面積が増えると共に、除塵体が回転清掃体の回転軸に最も近づくことで、より塵埃を掻き出す力が強くなり、除塵効果を向上させることができる。また、請求項５の発明は、回転清掃体が逆回転して塵埃が除塵体に再付着するのを防ぐことができると共に、除塵効果を向上させることができる。
【００２０】
請求項６のショーケースの発明は、塵埃が除塵体及びフィルター体に再付着するのを防ぐことができる。また、請求項７の発明は、ダストボックス内に収容された塵埃を容易に廃棄することができる。また、請求項８の発明は、フィルター体の裏側の清掃を容易に行うことができる。また、既存のショーケースへのカバーパネルとフィルター清掃装置の後付けを容易に行うことができる。
【図面の簡単な説明】
【００２１】
【図１】本発明に係るショーケースの斜視図
【図２】本発明に係るショーケースの一部分解斜視図
【図３（ａ）】本発明に係るフィルター清掃装置の斜視図
【図３（ｂ）】本発明に係るフィルター清掃装置の一部断面図
【図４（ａ）】フィルター清掃装置の清掃時の状態を示す図３（ａ）の一部Ａ−Ａ断面図（初期位置）
【図４（ｂ）】フィルター清掃装置の清掃時の状態を示す図３（ａ）の一部Ａ−Ａ断面図（往路位置）
【図４（ｃ）】フィルター清掃装置の清掃時の状態を示す図３（ａ）の一部Ａ−Ａ断面図（除塵体が回転清掃体の回転軸と同一高さの位置）
【図４（ｄ）】フィルター清掃装置の清掃時の状態を示す図３（ａ）の一部Ａ−Ａ断面図（終端位置）
【図４（ｅ）】フィルター清掃装置の清掃時の状態を示す図３（ａ）の一部Ａ−Ａ断面図（復路位置）
【図５】ダストボックスを取り出した状態を示す斜視図
【図６】ダストボックスの蓋体を開けた状態を示す斜視図
【図７】カバーパネルとフィルター清掃装置が一体となったユニットを背面側から視た斜視図
【発明を実施するための形態】
【００２２】
以下、本発明の実施形態について、図面を参照しながら説明する。なお、この実施の形態によって本発明が限定されるものではない。
【００２３】
図１は、本発明に係るショーケースを示す斜視図であり、図２は、本発明に係るショーケースの一部分解斜視図である。これらの図を用いて本発明に係るショーケースについて以下に説明する。
【００２４】
本発明に係るショーケース１は、箱型形状のケーシング２と、ケーシング２の下部に設けられ、ケーシング２内に供給する冷気を生成する冷媒回路などを収容した架台３とを備えている。ケーシング２は、食品などを陳列する陳列棚４と、冷媒回路で生成された冷気が吹き出される吹き出し口（図示せず）と、吹き出し口から吹き出された冷気が陳列棚４を通過後に吸い込まれる吸い込み口（図示せず）と、陳列棚４を照らすＬＥＤランプ（図示せず）とを備えている。尚、吸い込み口から吸い込まれた冷気は冷媒回路に戻され、再び吹き出し口から吹き出される。また、陳列棚４の最上部には、ナイトカバー４ａが設置されている。このナイトカバー４ａは、夜間に陳列棚４の全体を覆うように拡げてショーケース１内の温度を一定に保ち電気料金を節約することを目的としている。尚、本実施例では陳列棚が解放されたオープンショーケースとしたが、扉式の卓上ショーケースやアイランドタイプのショーケースなど、冷蔵又は冷凍機能を有する陳列ケースであれば形状を問わず本発明に含まれる。
【００２５】
架台３の前面には着脱可能なカバーパネル５が取り付けられており、架台３内には冷媒回路を構成する圧縮機（図示せず）、凝縮器６、蒸発器（図示せず）と、冷媒回路や蛍光灯などの制御を行う基板を収容した電装ボックス（図示せず）とが配置されている。尚、凝縮器６と対向するカバーパネル５の所定箇所には、凝縮器６へ空気を供給するための複数の通気孔７が形成されている。また、凝縮器６の後方には通気孔７を介して空気を凝縮器６に供給する送風ファン（図示せず）が配置されている。
【００２６】
カバーパネル５の通気孔７と、この通気孔７の下流側に配置されている凝縮器６との間には、フィルター清掃装置１０が配置されている。また、カバーパネル５は、開口部５ａをカバーパネル５の前面側に備えており、フィルター清掃装置１０を構成するダストボックス８は、開口部５ａから取り出すことができる構成としている。具体的には指先を挿入して前方に引き出し可能な取っ手部８ａと、ダストボックス８をカバーパネル５に固定するロック機構８ｂ、８ｂとを備えている。ロック機構８ｂ、８ｂは、つまみ部８ｃ、８ｃを左右にスライドさせることによって、開錠及び施錠がなされる。
【００２７】
図３（ａ）は、本発明に係るフィルター清掃装置を示す斜視図であり、図３（ｂ）は、フィルター清掃装置を示す断面図である。これらの図を用いて本発明に係るフィルター清掃装置について以下に説明する。
【００２８】
フィルター清掃装置１０は、塵埃を捕捉するフィルター体９と、フィルター体９に沿って往復可動し、フィルター体９に付着した塵埃を除去する除塵体１１と、フィルター体９の一方の端部近傍に設置されると共に、回転軸１２ａを備え、回転して除塵体１１に当接し、除塵体１１に付着した塵埃を移送する回転清掃体１２と、回転清掃体１２の近傍に設置されると共に、回転清掃体１２によって移送される塵埃を収容する開口を備えたダストボックス８とを備えている。
【００２９】
フィルター体９は、フィルター９ａと格子枠９ｂとから構成されている。また、除塵体１１は、ブラシ１１ａを備えタイミングベルト１９に固定されており、可動機構はモータ１７と直結するギア１８ａと、ギア１８ａと嵌合するギア１８ｂと、ギア１８ｂの回転軸と連動して可動するタイミングベルト１９との構成によって上下方向への移動がなされる。また、除塵体１１は、カバーパネル５側に設置されているラック２１と、ラック２１に歯合するギア１８ｄとからなる構成によって除塵体１１の上下方向への移動を支えている。また、回転清掃体１２の回転は、モータ１７と直結するギア１８ａに、回転軸１２ａと直結するギア１８ｃが嵌合する構成によってなされる。さらに、フィルター清掃装置１０は、後述するようにダストボックス８の開口近傍に備えられると共に、回転清掃体１２に当接して塵埃を除去しダストボックス内に回収させる除去体（図４参照）を備えている。尚、本実施例では垂直にフィルターが配置されているが、傾斜している場合、水平に配置されている場合など、様々な配置が想定できると共に、フィルター形状も平面形状に限定されるものではなく、湾曲形状や凹凸形状なども本発明に含まれる。
【００３０】
図４（ａ）〜（ｅ）は、フィルター清掃装置の清掃時の状態を示す図３（ａ）の一部Ａ−Ａ断面図である。これらの図を用いて本発明に係るフィルター清掃装置の清掃時の状態について以下に説明する。
【００３１】
図４（ａ）は、除塵体１１が初期位置にある状態を示している。初期位置の面１３は、フィルター体９の平面よりも凹んでおり、除塵体１１のブラシ１１ａの先端が接触しないようにしている。これにより、ブラシ１１ａが屈曲するくせがつくのを防ぐことができる。尚、本実施例では、直線ブラシ１１ａを使用しているがブラシ１１ａに替えてブレードを使用してもよい。また、フィルター表面の塵埃をより掻きだす構造とするために、回転ブラシや回転ブレードとしてもよく、かかる構造も本発明に含まれる。そして、カバーパネル５に形成されている通気孔７から進入した塵埃１３は、フィルター体９に捕捉されている。また、フィルター体９の一方の端部近傍には回転清掃体１２が設置されており、回転清掃体１２に当接するように、ダストボックス８の開口８ｄ近傍には除去体１４が設置されている。尚、図４では、除去体１４は、ダストボックス８を構成する蓋体８ｅと一体化しているが、別体であってもよい。ダストボックス８の底面８ｆは、カバーパネル５側が最も低くなるように傾斜させている。これにより、ダストボックス８に回収される塵埃を自重でカバーパネル５側へ押し込むことができる。また、ダストボックス８は、壁体８ｇが形成されており、壁体８ｇによって、塵埃があふれるのを防いでいる。
【００３２】
図４（ｂ）は、除塵体１１が往路位置にある状態を示している。除塵体１１は往路では矢印Ａで示すように下方向に移動する。除塵体１１のブラシ１１ａの長さは、ブラシ１１ａの根元部からフィルター体９の表面までの距離よりも長くなるように設計されているため（図４（ａ）参照）、図４（ｂ）に示すようにブラシ１１ａは移動方向とは反対の方向に屈曲しつつ、フィルター体９に当接している。これにより、塵埃１３は、除塵体１１に掻き取られつつ、下方向に押されて移動している。尚、ブラシ１１ａに替えてブレードを使用する場合には、ブレードの先端に突起が形成されているのが好ましい。
【００３３】
また、回転清掃体１２は、フィルター体９の表面から遠ざかる方向である矢印Ｂで示す方向に回転している。これにより、塵埃１３がフィルター体９に再付着するのを防いでいる。尚、回転清掃体１２の回転速度は、相対的に除塵体１１の移動速度よりも速くなるように設定されているため、除塵体１１に付着した塵埃１３を確実に移送できる。また、除塵体１１により押し出された塵埃１３は、先んじて回転清掃体１２に当接しダストボックス８に移送されるため、除塵体１１に過度な負荷をかけることなく耐久性を向上させることができる。
【００３４】
図４（ｃ）は、除塵体１１が往路において、破線で示すように回転清掃体１２の回転軸１２ａと同一の高さとなる位置まで移動した状態を示している。この状態では、除塵体１１と回転清掃体１２の接触面積が最大となるので、除塵体１１のブラシ１１ａの根元部の塵埃１３を掻き出してダストボックス８へと移送させることができる。また、除去体１４によって回転清掃体１２に付着している塵埃を掻き取り、ダストボックス８へと移送させることができる。
【００３５】
図４（ｄ）は、除塵体１１が往路終端位置まで移動した状態を示している。この状態では、除塵体１１のブラシ１１ａがダストボックス８の内部で回転清掃体１２に叩かれることとなり、ブラシ１１ａに付着している細かい塵埃１３もダストボックス８の内部に収容することができる。また、ダストボックス８の開口８ｄを形成する壁体８ｇが除塵体１１と当接して支えている状態となっているので、除塵体１１が逃げることなく、確実にブラシ１１ａを回転清掃体１２に当てることができる。また、ブラシ１１ａがフリーな状態となるので、復路時に反転する無理な屈曲を防いで耐久性を向上させることができる。さらに、回転清掃体１２は、ブラシ１１ａの復路側のブラシ片に当接することとなり、復路側のブラシ片に付着している塵埃１３を掻き出してダストボックス８の内部に移送することができる。
【００３６】
尚、除去体１４の先端は、回転清掃体１２の回転中心方向を向くように設置しているが、これに限定するものではなく、除去体１４の先端が回転清掃体１２の回転中心を向いていない場合でも塵埃の掻き出し効果を奏することはできる。例えば、除去体１４の先端を回転清掃体１２の回転方向に対して鋭角に当接させた場合は、塵埃の書き出し効果をより向上させることができ、鈍角に当接させた場合は、回転清掃体１２に過度な負荷をかけることなく耐久性をより向上させることができる。
【００３７】
図４（ｅ）は、除塵体１１が復路位置にある状態を示している。除塵体１１は、復路では矢印Ｃで示すように上方向に移動する。除塵体１１のブラシ１１ａは、回転清掃体１２と当接した後、再びフィルター体９に当接しつつ上方向に移動する。この時、ブラシ１１ａは、移動方向とは反対の方向に屈曲している。尚、復路において、回転清掃体１２は、回転させることもできるが、停止させておくこともできる。ここで、回転させた場合は、往路時の回転方向と同方向に回転させ、ブラシ１１ａの復路側に付着した塵埃を除去すると共にダストボックス８内に移送することができる。また、停止させた場合も回転ブラシ１２はブラシ１１ａに対して相対的に掻き落とすように当接するため、塵埃を除去できる。
【００３８】
また、本実施例での回転清掃体１２は、ワンウェイクラッチ機構を備えており、往路時の回転方向にしか回転しないようにしているので、ダストボックス８の内部に収容されている塵埃１３がフィルター体９側に移送されることはない。その他、除塵体１１の往復可動と回転清掃体の回転を別のモータで制御（ダブルモータ）することにより、往路時の回転方向と同一方向に回転させることもできる。尚、除去体１４は、ダストボックス８を構成する蓋体８ｅと一体化しているが、別体であってもよい。また、回転清掃体１２は、塵埃１３を移送させる効果からダストボックス８の開口８ｄよりも内側に一部が入っていることが好ましい。
【００３９】
図５は、ダストボックス８をカバーパネル５の前面側から取り出した状態を示す斜視図である。ダストボックス８は、取っ手部８ａに指先を挿入して前方に引き出すことにより、カバーパネル５の前面側に形成されている開口部５ａから取り出すことができるので、塵埃の廃棄等のメンテナンス作業を容易に行うことができる。尚、図５においては、ダストボックス８に回転清掃体１２が搭載された状態で取り出す構成としているが、ダストボックス８のみを取り出す構成としてもよい。回転清掃体１２を一緒に取り出すことによって、塵埃の廃棄時に回転清掃体１２に付着している塵埃を取り除くメンテナンス清掃を容易に行うことができる。
【００４０】
図６は、ダストボックス８の蓋体８ｅを開けた状態を示す斜視図である。蓋体８ｅは、図示しない回転軸によって回転可能に軸支されており、回転清掃体１２から離れる方向に回転することによって、回転清掃体１２と蓋体８ｅとの間に隙間が形成され、この隙間からダストボックス８の内部に収容されている塵埃を取り出して廃棄することができる。尚、蓋体８ｅの先端部の長手方向には櫛歯状の除去体１４が形成されているが、櫛歯状に替えて、直線状やブラシ状の除去体を採用することもできる。また、回転清掃体１２がフィルター清掃装置本体側に固定されている場合には、ダストボックス８を取り出す際に、回転清掃体１２に付着している塵埃を除去体１４によって掻き出しながら取り外す構成とすることができる。
【００４１】
図７は、カバーパネル５とフィルター清掃装置１０が一体となったフィルター清掃ユニット２０を背面側から視た斜視図である。フィルター清掃ユニット２０には、カバーパネル５とフィルター清掃装置１０の他にマイコン１５及び電源１６が搭載されている。ショーケース１の架台３（図１参照）に対してカバーパネル５とフィルター清掃装置１０が一体的に着脱可能な構成とすることによって、フィルター体９の裏側の清掃を容易に行うことができる。また、既存のショーケースに対して、フィルター清掃装置を搭載したカバーパネルを後付けできるため、新しくショーケースを買い替える必要なく、メンテナンス費用及び投資コストを抑えることができる。
【産業上の利用可能性】
【００４２】
本発明に係るフィルター清掃装置は、フィルターに付着している塵埃等を除去するために、ショーケースに設置されて利用される。
【符号の説明】
【００４３】
１  ショーケース
２  ケーシング
３  架台
４  陳列棚
４ａ  ナイトカバー
５  カバーパネル
５ａ  開口部
６  凝縮器
７  通気孔
８  ダストボックス
８ａ  取っ手部
８ｂ  ロック機構
８ｃ  つまみ部
８ｄ  開口
８ｅ  蓋体
８ｆ  底面
８ｇ  壁体
９  フィルター体
９ａ  フィルター
９ｂ  格子枠
１０  フィルター清掃装置
１１  除塵体
１１ａ  ブラシ
１２  回転清掃体
１２ａ  回転軸
１３  塵埃
１４  除去体
１５  マイコン
１６  電源
１７  モータ
１８ａ、１８ｂ、１８ｃ、１８ｄ  ギア
１９  タイミングベルト
２０  フィルター清掃ユニット
２１  ラック
【図１】
2020162920.tif 000003
【図２】
2020162920.tif 000004
【図３（ａ）】
2020162920.tif 000005
【図３（ｂ）】
2020162920.tif 000006
【図４（ａ）】
2020162920.tif 000007
【図４（ｂ）】
2020162920.tif 000008
【図４（ｃ）】
2020162920.tif 000009
【図４（ｄ）】
2020162920.tif 000010
【図４（ｅ）】
2020162920.tif 000011
【図５】
2020162920.tif 000012
【図６】
2020162920.tif 000013
【図７】
2020162920.tif 000014